(57)【要約】      （修正有）【課題】撮像装置において、撮影者の操作による手ぶれを防止する操作系を提供する。【解決手段】撮像装置における既存の操作系であるシャッターボタンを残したまま、新たな操作部である準備ボタンおよび露光ボタンを付加し、既存の操作系と協働する制御を行うことにより、撮影者が撮像装置に与える手ぶれを軽減する。【選択図】図１
2011112947.tif 000002
【特許請求の範囲】
【請求項１】
撮像装置本体上部に設けられ、準備動作の実行指示および露光動作の実行指示を入力可能とされた第１入力手段と、
撮像装置本体上部に設けられ、露光動作の実行指示を入力可能とされた第２入力手段と、
撮像装置本体背面に設けられ、準備動作の実行指示を入力可能とされた第３入力手段と、
前記第１入力手段による入力が検知された場合には準備動作を実行し、さらに前記第２入力手段による入力が検知された場合には露光動作を実行する、通常撮影実行手段と、
前記第３入力手段による入力が検知された場合には準備動作を実行し、さらに前記第１入力手段による入力が検知された場合には露光動作を実行する、手ぶれ防止撮影実行手段と、
を備えた撮像装置。
【請求項２】
撮像装置本体上部に設けられ、準備動作の実行指示を入力可能とされた第１入力手段と、
撮像装置本体上部に設けられ、露光動作の実行指示を入力可能とされた第２入力手段と、
撮像装置本体背面に設けられ、準備動作の実行指示を入力可能とされた第３入力手段と、
撮像装置本体上部に設けられ、露光動作の実行指示を入力可能とされた第４入力手段と、
前記第１入力手段による入力が検知された場合には準備動作を実行し、さらに前記第２入力手段による入力が検知された場合には露光動作を実行する、通常撮影実行手段と、
前記第３入力手段による入力が検知された場合には準備動作を実行し、さらに前記第４入力手段による入力が検知された場合には露光動作を実行する、手ぶれ防止撮影実行手段と、
を備えた撮像装置。
【請求項３】
撮像装置本体上部に設けられ、準備動作の実行指示を入力可能とされた第１入力手段と、
撮像装置本体上部に設けられ、露光動作の実行指示を入力可能とされた第２入力手段と、
撮像装置本体背面に設けられ、準備動作の実行指示を入力可能とされた第３入力手段と、
撮像装置本体上部に設けられ、露光動作の実行指示を入力可能とされた第４入力手段と、
前記第１入力手段による入力が検知された場合には準備動作を実行し、さらに前記第２入力手段による入力が検知された場合には露光動作を実行する、通常撮影実行手段と、
前記第１入力手段による入力が検知された場合には準備動作を実行し、さらに前記第４入力手段による入力が検知された場合には露光動作を実行する、手ぶれ防止撮影実行手段と、
を備えた撮像装置。
【請求項４】
前記第４入力手段は静電式のタッチセンサであり、前記第２入力手段に隣接して設けられていることを特徴とする請求項２または請求項３記載の撮像装置。
【請求項５】
前記第４入力手段は感圧式のタッチセンサであり、前記第２入力手段に隣接して設けられていることを特徴とする請求項２または請求項３記載の撮像装置。
【発明の詳細な説明】
【技術分野】
【０００１】
本発明は、撮像装置に関し、特に手ぶれを軽減する操作系を有するデジタルカメラに関する。
【背景技術】
【０００２】
撮像装置において画像を撮像する際に、撮影者の手ぶれに起因して発生する画像の劣化を防止する手ぶれ防止装置としては、例えば特許文献１に開示される技術がある。
【０００３】
特許文献１には、光学系の一部を光軸と垂直な平面内において手ぶれに応じて移動することで光軸を移動し、撮像素子上に投影される像のぶれを軽減する技術が示されている。この技術を用いれば、手ぶれによる画像の劣化を防止するだけでなく、各種レンズに最適化された手ぶれ防止装置を用いることが出来る。
【０００４】
また、手ぶれ防止装置の一例として、例えば特許文献２に開示される技術がある。
【０００５】
特許文献２には、撮像素子を光軸と垂直な平面内において手ぶれに応じて移動することで、撮像素子上に投影される像のぶれを軽減する技術が示されている。この技術を用いれば、手ぶれによる画像の劣化を防止するだけでなく、レンズの交換を前提として設計される一眼レフカメラにおいて、全てのレンズに対して手ぶれ防止装置を用いることが出来る。
【０００６】
撮像装置、特に一眼レフカメラにおいて画像を撮像する際に、撮影者の手ぶれに起因して発生する画像の劣化を防止する手段として、ミラーアップ機能が知られている。ミラーアップ機能とは撮影者がシャッターをレリーズする前に予めミラーを上げておき、レリーズボタンの操作によりシャッター駆動のみを行う機能である。
【０００７】
予めミラーを上げておくことにより、ミラーの上昇に伴う衝撃が撮影に影響する事を防止できる。
【０００８】
さらに、一眼レフカメラにおいて画像を撮像する際に、撮影者のレリーズボタン操作によってカメラに与えられた動きに起因して発生する画像の劣化を防止する手段として、セルフタイマーの利用が知られている。
【０００９】
【特許文献１】特開２００８−３３６１号公報
【００１０】
【特許文献２】特開２００４−３２２８９号公報
【発明の開示】
【発明が解決しようとする課題】
【００１１】
しかしながら、上述した手ぶれ防止の方法にはいずれも課題がある。
【００１２】
まず、光学系の一部または撮像素子を移動する機構を用いた方法は、従来の撮像装置に手ぶれ防止装置を組み込まなければならず、設計上の制約やコスト増という課題がある。さらに、手ぶれ防止装置の性能にも限界があり、シャッター速度において約４段分の補正効果を有するのみである。
【００１３】
また、ミラーアップを用いる方法では、レリーズボタンに撮影者が触れることによりカメラに与えられた動きが画像の劣化を引き起こす課題がある。
【００１４】
レリーズボタンは一般的に２段階の操作を行うように構成されており、１段目で露出の固定とオートフォーカスを作動させ、２段目でシャッターのレリーズを行う。撮影者が１段目と２段目を触感によって容易に判別できるよう、押圧の重みに大きく差が付けられている。一般的に１段目は軽く、２段目は重い。それゆえ、撮影者がシャッターレリーズを行うべく２段目を押し込むと、その反作用でカメラに動きを与えてしまう場合がある。
【００１５】
さらに、セルフタイマーを用いる方法では、撮影者の操作にレリーズが追従しないため、迅速な撮影には不適であるという課題がある。
【００１６】
手ぶれ防止を目的としてセルフタイマーを組み込んだ一眼レフカメラでは、数秒程度の比較的短時間にレリーズされる設定ができるものもあるが、レリーズボタンの操作にレリーズが追従しないことによる操作感の低下は不可避である。
【００１７】
また、セルフタイマーを用いてもミラーアップによって解消できるミラーの上昇に伴う衝撃は避けられない。
【００１８】
本発明は、上述した課題を考慮してなされたもので、撮像装置において、レリーズボタンの動作または配置を変更した簡素な構成で、手ぶれ防止装置を用いることなく手ぶれの防止を図る撮像装置を提供することを目的とする。
【００１９】
本発明がなされた前提には、先述した２段階の操作を行うレリーズボタンの１段目は一般的に軽く、２段目は重いという事実がある。本発明では軽い押圧で応答する１段目にシャッターレリーズを指示する機能を割り当てることで、撮影時のぶれの低減を狙う。また、ぶれを発生させずに応答するスイッチを別に設けることも提案する。
【００２０】
また、本発明がなされた前提には、通常の撮影に用いる操作系に近しい構成とすることが考慮されている。これにより、従来の操作系に慣れている撮影者の利便性の向上、コストアップの防止を図る。
【００２１】
そこで請求項１に示す本発明は、一般的な撮像装置で用いられる操作系に加えて、通常のレリーズボタンの１段目で行う指示を、撮像装置の背面（撮像装置を手にとった時に親指で操作する面）に設けられた準備動作ボタンで行う。続いて通常のレリーズボタンの２段目で行う指示、すなわち露光動作の指示を通常のレリーズボタンの１段目で行うことを特徴とする撮像装置を提供する。ここで、準備動作ボタンはオートフォーカス機能の作動、露出の固定を兼ねていても良い。
【００２２】
また請求項２に示す本発明は、一般的な撮像装置で用いられる操作系に加えて、通常のレリーズボタンの１段目で行う指示を、撮像装置の背面（撮像装置を手にとった時に親指で操作する面）に設けられた準備動作ボタンで行う。続いて通常のレリーズボタンの２段目で行う指示、すなわち露光動作の指示をレリーズボタンの近傍に新たに設けたスイッチないしセンサによって行うことを特徴とする撮像装置を提供する。ここで、準備動作ボタンはオートフォーカス機能の作動、露出の固定を兼ねていても良い。
【００２３】
さらに請求項３に示す本発明は、一般的な撮像装置で用いられる操作系に加えて、通常のレリーズボタンの１段目で行う指示はそのままに、続いて通常のレリーズボタンの２段目で行う指示、すなわち露光動作の指示をレリーズボタンの近傍に新たに設けたスイッチないしセンサによって行うことを特徴とする撮像装置を提供する。ここで、準備動作ボタンはオートフォーカス機能の作動、露出の固定を兼ねていても良い。
【課題を解決するための手段】
【００２４】
請求項１に示す本発明による撮像装置においては、撮像装置本体上部に設けられ、準備動作の実行指示および露光動作の実行指示を入力可能とされた第１入力手段と、撮像装置本体上部に設けられ、露光動作の実行指示を入力可能とされた第２入力手段と、撮像装置本体背面に設けられ、準備動作の実行指示を入力可能とされた第３入力手段と、前記第１入力手段による入力が検知された場合には準備動作を実行し、さらに前記第２入力手段による入力が検知された場合には露光動作を実行する、通常撮影実行手段と、前記第３入力手段による入力が検知された場合には準備動作を実行し、さらに前記第１入力手段による入力が検知された場合には露光動作を実行する、手ぶれ防止撮影実行手段とを具備することを特徴とする。
【００２５】
請求項２に示す本発明による撮像装置においては、撮像装置本体上部に設けられ、準備動作の実行指示を入力可能とされた第１入力手段と、撮像装置本体上部に設けられ、露光動作の実行指示を入力可能とされた第２入力手段と、撮像装置本体背面に設けられ、準備動作の実行指示を入力可能とされた第３入力手段と、撮像装置本体上部に設けられ、露光動作の実行指示を入力可能とされた第４入力手段と、前記第１入力手段による入力が検知された場合には準備動作を実行し、さらに前記第２入力手段による入力が検知された場合には露光動作を実行する、通常撮影実行手段と、前記第３入力手段による入力が検知された場合には準備動作を実行し、さらに前記第４入力手段による入力が検知された場合には露光動作を実行する、手ぶれ防止撮影実行手段とを具備することを特徴とする。
【００２６】
請求項３に示す本発明による撮像装置においては、撮像装置本体上部に設けられ、準備動作の実行指示を入力可能とされた第１入力手段と、撮像装置本体上部に設けられ、露光動作の実行指示を入力可能とされた第２入力手段と、撮像装置本体背面に設けられ、準備動作の実行指示を入力可能とされた第３入力手段と、撮像装置本体上部に設けられ、露光動作の実行指示を入力可能とされた第４入力手段と、前記第１入力手段による入力が検知された場合には準備動作を実行し、さらに前記第２入力手段による入力が検知された場合には露光動作を実行する、通常撮影実行手段と、前記第１入力手段による入力が検知された場合には準備動作を実行し、さらに前記第４入力手段による入力が検知された場合には露光動作を実行する、手ぶれ防止撮影実行手段とを具備することを特徴とする。
【００２７】
これにより、撮像装置における既存の操作系であるシャッターボタン（第１入力手段および第２入力手段）を残したまま、新たな操作部である準備ボタン（第３入力手段）および露光ボタン（第４入力手段）を付加し、既存の操作系と協働する制御を行うことができるので、撮影者が撮像装置に与える手ぶれの軽減が可能になる。
【００２８】
また、本発明による撮像装置の一態様例においては、請求項２または請求項３記載の撮像装置であって、前記第４入力手段は静電式のタッチセンサであり、前記第２入力手段に隣接して設けられていることを特徴とする。
【００２９】
また、本発明による撮像装置の一態様例においては、請求項２または請求項３記載の撮像装置であって、前記第４入力手段は感圧式のタッチセンサであり、前記第２入力手段に隣接して設けられていることを特徴とする。
【００３０】
このような露光ボタン（第４入力手段）を用いることで、露光動作における手ぶれを防止することが出来る。
【発明の効果】
【００３１】
本発明によれば、撮像装置において、レリーズボタンの動作または配置を変更した簡素な構成で、手ぶれ防止装置を用いることなく手ぶれの防止を図る撮像装置を提供することができる。
【発明を実施するための最良の形態】
【００３２】
以下に、図面を参照して、本発明の好適な実施の形態について説明する。
【００３３】
図１は、本発明の実施形態における撮像装置の正面図である。図１において、準備動作の実行指示および露光動作の実行指示を入力可能とされた第１入力手段と、露光動作の実行指示を入力可能とされた第２入力手段とが、２段階に押し込むことができるレリーズボタン１として撮像装置本体上部に構成されている。
【００３４】
また、露光動作の実行指示を入力可能とされた第４入力手段（露光ボタン）２が、撮像装置本体上部に設けられている。
【００３５】
第４入力手段（露光ボタン）２は撮影者が触れるないし押し込むことで電気的に指示を出すことが出来るボタンである。しかし、手ぶれの抑制という本発明の目的に照らせば、通常撮影に用いられるレリーズボタンよりも軽い接触により指示を出すことが出来る構成とするのが望ましい。それゆえ、感圧式または静電式のタッチセンサを用いるのが好適である。
【００３６】
第４入力手段（露光ボタン）２は、通常撮影に用いられるレリーズボタンとは別に配設される。しかし、撮影者の利便を考慮すれば、従来の配置と大きく違わない配置とするのが好ましい。そこで、第４入力手段（露光ボタン）２は、通常撮影に用いられるレリーズボタン（第１入力手段および第２入力手段）に隣接して配設するのが好ましい。図１に示す本実施例においては、通常撮影に用いられるレリーズボタン（第１入力手段および第２入力手段）１の前方に隣接して配置する一例を示した。
【００３７】
図２は、本発明の実施形態における撮像装置の背面図である。図２において、準備動作の実行指示を入力可能とされた第３入力手段が、撮影姿勢をとったまま押すことの出来る準備ボタンＡ  ３または準備ボタンＢ  ４として撮像装置本体背面に設けられている。準備ボタンＡ  ３および準備ボタンＢ  ４を配設する位置は、撮影姿勢のまま操作しやすい位置で、撮像装置本体背面であればどこでも良く、複数備えておいても良い。また、既存のボタンに機能を割り当てることで配設してもよい。
【００３８】
（実施例１）図３は、請求項１、請求項２、および請求項３に示す、通常撮影実行手段と手ぶれ防止撮影実行手段とを有する撮像装置における露光動作を示したフローチャートである。
【００３９】
撮像装置への電源の投入または撮影者の操作に対する待機状態の開始によって、このフローチャートが開始する。始めに、撮影者による操作が第３入力手段（準備ボタン）による準備動作の実行指示であるか否か判定を行う（ステップ＃３０１）。判定の結果、撮影者による操作が第３入力手段による準備動作の実行指示である場合は、ステップ＃３０２において準備動作を行う。判定の結果、撮影者による操作が第３入力手段による準備動作の実行指示でない場合は、ステップ＃３０３に進み、撮影者による操作が第１入力手段による第１レリーズ（半押し）であるか否か判定を行う。
【００４０】
ここで、先述の準備動作について述べる。準備動作とは、一般的なスチルカメラにおける半押しによって行われる動作を指す。より具体的には、オートフォーカス機構の作動、自動露出機構の作動（測光および露出固定）である。また、デジタルスチルカメラにおいてはオートホワイトバランスの作動を含む。さらに手ぶれ防止装置を備えたスチルカメラにおいては、手ぶれ防止装置の動作開始を含む。
【００４１】
ステップ＃３０２において準備動作が行われると、続いてステップ＃３０４において撮影者による操作が第１入力手段（第１レリーズ）または第４入力手段（露光ボタン）による露光動作の実行指示であるか否か判定を行う。判定の結果、撮影者による操作が第１入力手段（第１レリーズ）または第４入力手段（露光ボタン）による露光動作の実行指示である場合は、ステップ＃３０７において露光動作を行う。判定の結果、撮影者による操作が第１入力手段（第１レリーズ）または第４入力手段（露光ボタン）による露光動作の実行指示でない場合は、ステップ＃３０４を繰り返す。
【００４２】
ここで、先述の露光動作について述べる。露光動作とは、一般的なスチルカメラにおける全押しによって行われる動作を指す。より具体的には、一眼レフカメラにおけるミラー駆動、（フォーカルプレーン方式、電子シャッター方式、レンズシャッター方式を含む）シャッター駆動を行う。また、デジタルスチルカメラにおいては、撮像素子から出力される画像データの読み出し、画像処理および画像の保存を含む。
【００４３】
ステップ＃３０１からステップ＃３０３に進み、ステップ＃３０３において撮影者による操作が第１入力手段による第１レリーズ（半押し）であるか否か判定を行う。判定の結果、撮影者による操作が第１入力手段による第１レリーズ（半押し）である場合は、ステップ＃３０５において準備動作を行う。判定の結果、撮影者による操作が第１入力手段による第１レリーズ（半押し）でない場合は、ステップ＃３０３を繰り返す。
【００４４】
ステップ＃３０５において準備動作が行われると、続いてステップ＃３０６において撮影者による操作が第２入力手段（第２レリーズ）または第４入力手段（露光ボタン）による露光動作の実行指示であるか否か判定を行う。判定の結果、撮影者による操作が第２入力手段（第２レリーズ）または第４入力手段（露光ボタン）による露光動作の実行指示である場合は、ステップ＃３０７において露光動作を行う。判定の結果、撮影者による操作が第２入力手段（第２レリーズ）または第４入力手段（露光ボタン）による露光動作の実行指示でない場合は、ステップ＃３０６を繰り返す。
【００４５】
ステップ＃３０７において露光動作を行い、このフローチャートは終了する。撮影者の操作に対する待機状態に復帰すると、このフローチャートははじめから再開する。
【００４６】
このフローチャートにおいて、露光動作を押圧の小さい第１レリーズ（第１入力手段）および露光ボタン（第４入力手段）の操作によって行うことが出来るので、撮影者が撮像装置に与える手ぶれの軽減が可能になる。
【００４７】
（実施例２）図４は、請求項１、請求項２、および請求項３に示す、通常撮影実行手段と手ぶれ防止撮影実行手段とを実際の一眼レフカメラに適用する場合に想定される露光動作のフローチャートである。
【００４８】
撮像装置への電源の投入または撮影者の操作に対する待機状態の開始によって、このフローチャートが開始する。
【００４９】
始めに、撮影者による操作が第３入力手段（準備ボタン）による準備動作の実行指示であるか否か判定を行う（ステップ＃４０１）。ステップ＃４０１における判定の結果、撮影者による操作が第３入力手段による準備動作の実行指示である場合は、ステップ＃４０２において準備動作を行う。ステップ＃４０１における判定の結果、撮影者による操作が第３入力手段による準備動作の実行指示でない場合は、ステップ＃４１２に進み、撮影者による操作が第１入力手段による第１レリーズ（半押し）であるか否か判定を行う。
【００５０】
ステップ＃４０２において準備動作が行われると、続いてステップ＃４０３において合焦状態にあるか否か判定を行う。判定の結果、合焦状態にある場合は、ステップ＃４０５に進む。判定の結果、合焦状態にない場合は、ステップ＃４０４に進み、撮影者に対して合焦状態にない旨通知し、ステップ＃４０５に進む。
【００５１】
ここで、先述の合焦状態にない旨通知する動作について述べる。これは撮影者に対して、オートフォーカスを動作させた被写体に対して合焦に至らなかった旨を通知する動作である。通知にあたっては、一眼レフカメラにおいてはファインダ内の表示の変化、液晶画面によって被写体を観察できる撮像装置にあっては液晶画面内の表示の変化による。表示の変化は本来合焦を示すランプの点滅、色の変化等による他、フォーカスポイント表示の色の変化、非合焦を示す専用のアイコンの表示等による。
【００５２】
ステップ＃４０５において、撮影者による操作が第３入力手段（準備ボタン）による準備動作の実行指示であるか否か判定を行う。判定の結果、撮影者による操作が第３入力手段による準備動作の実行指示である場合は、ステップ＃４０２において準備動作を行う。判定の結果、撮影者による操作が第３入力手段による準備動作の実行指示でない場合は、ステップ＃４０６に進み、撮影者による操作が第１入力手段による第１レリーズ（半押し）または第４入力手段（露光ボタン）であるか否か判定を行う。
【００５３】
判定の結果、撮影者による操作が第１入力手段による第１レリーズ（半押し）または第４入力手段（露光ボタン）による露光動作の実行指示である場合は、ステップ＃４０７に進む。
【００５４】
ステップ＃４０１からステップ＃４１２に進み、ステップ＃４１２において撮影者による操作が第１入力手段による第１レリーズ（半押し）であるか否か判定を行う。判定の結果、撮影者による操作が第１入力手段による第１レリーズ（半押し）である場合は、ステップ＃４１３において準備動作を行う。判定の結果、撮影者による操作が第１入力手段による第１レリーズ（半押し）でない場合は、ステップ＃４１２を繰り返す。
【００５５】
ステップ＃４１３において準備動作が行われると、続いてステップ＃４１４において合焦状態にあるか否か判定を行う。判定の結果、合焦状態にある場合は、ステップ＃４１６に進む。判定の結果、合焦状態にない場合は、ステップ＃４１５に進み、撮影者に対して合焦状態にない旨通知し、ステップ＃４１６に進む。
【００５６】
ステップ＃４１６において、撮影者による操作が第１入力手段による第１レリーズ（半押し）または第３入力手段（準備ボタン）による準備動作の実行指示であるか否か判定を行う。判定の結果、撮影者による操作が第１入力手段による第１レリーズ（半押し）または第３入力手段による準備動作の実行指示である場合は、ステップ＃４１３において準備動作を行う。判定の結果、撮影者による操作が第１入力手段による第１レリーズ（半押し）または第３入力手段による準備動作の実行指示でない場合は、ステップ＃４１７に進み、撮影者による操作が第２入力手段による第２レリーズ（全押し）または第４入力手段（露光ボタン）であるか否か判定を行う。
【００５７】
判定の結果、撮影者による操作が第２入力手段による第２レリーズ（全押し）または第４入力手段（露光ボタン）による露光動作の実行指示である場合は、ステップ＃４０７に進む。
【００５８】
ステップ＃４０７において非合焦状態においてもシャッターレリーズを優先する設定が撮像装置になされているか否か判定を行う。ステップ＃４０７における判定の結果、ステップ＃４０７において非合焦状態においてもシャッターレリーズを優先する設定が撮像装置になされていない場合、ステップ＃４０８に進み、合焦状態にあるか否か判定を行う。ステップ＃４０８における判定の結果、合焦状態にある場合はステップ＃４０９に進み、合焦状態にない場合はステップ＃４０１に進む。
【００５９】
ステップ＃４０７における判定の結果、非合焦状態においてもシャッターレリーズを優先する設定が撮像装置になされている場合、ステップ＃４０９に進む。
【００６０】
ステップ＃４０９において、記録媒体が撮像装置に挿入されていないにも関わらずシャッターレリーズを優先する設定が撮像装置になされているか否か判定を行う。ステップ＃４０９における判定の結果、記録媒体が撮像装置に挿入されていないにも関わらずシャッターレリーズを優先する設定が撮像装置になされている場合、＃４１１に進み露光動作を行う。
【００６１】
ステップ＃４０９における判定の結果、記録媒体（メモリーカード等）が撮像装置に挿入されていないにも関わらずシャッターレリーズを優先する設定が撮像装置になされていない場合、ステップ＃４１０に進み記録媒体の有無を確認する。ステップ＃４１０における判定の結果、記録媒体が挿入されている場合はステップ＃４１１に進み、記録媒体が挿入されていない場合はステップ＃４０１に進む。
【００６２】
ここで、先述の記録媒体について述べる。記録媒体とは、デジタルカメラにおいてはｘＤピクチャーカード(登録商標)、コンパクトフラッシュ(登録商標)、ＳＤメモリカード(登録商標)またはメモリスティック(登録商標)等の書換え可能な記録媒体である。フイルムカメラにおいては、装填されるフイルムを指す。また、有線無線を問わず接続された外部記録媒体も同様に記録媒体に含まれる。
【００６３】
ステップ＃４１１において露光動作を行い、このフローチャートは終了する。撮影者の操作に対する待機状態に復帰すると、このフローチャートははじめから再開する。
【００６４】
このフローチャートにおいて、露光動作を押圧の小さい第１レリーズ（第１入力手段）および露光ボタン（第４入力手段）の操作によって行うことが出来るので、撮影者が撮像装置に与える手ぶれの軽減が可能になる。
【図面の簡単な説明】
【００６５】
【図１】実施例における一眼レフカメラの正面図である。
【図２】実施例における一眼レフカメラの背面図である。
【図３】実施例１において用いられるフローチャートである。
【図４】実施例２において用いられるフローチャートである。
【符号の説明】
【００６６】
１      レリーズボタン
２      露光ボタン
３      準備ボタンＡ
４      準備ボタンＢ
【図１】
2011112947.tif 000003
【図２】
2011112947.tif 000004
【図３】
2011112947.tif 000005
【図４】
2011112947.tif 000006